(57)【特許請求の範囲】
【請求項１】
少なくとも３つの別個の回転可能な連結要素を有し、搭載位置において、エンジンクランクシャフト（５）に接続された第１の連結要素（２５）と、電気機械（６）及び少なくとも１つのアクセサリ（７）に対して駆動可能に接続されたアクセサリプーリ（９）に接続された第２の連結要素（２１）と、第３の連結要素（２２）と、を有する歯車減速機構（２０）を備え、前記連結要素の回転速度は、相互依存するものの、互いに関連した固定の比率を有さない、エンジン装置（２）の駆動システム（１）であって、
前記搭載位置において、前記エンジン装置の非回転部品（１６）に接続されたフリーホイール（３０）をさらに備え、前記第３の連結要素は、第１の動作段階において、前記フリーホイール（３０）に連結されるように構成され、
前記第１の動作段階において、前記フリーホイール（３０）は、前記第３の連結要素（２２）が前記フリーホイール（３０）に対して一方向にトルクを付与するとき、前記フリーホイール（３０）が係合状態となって前記第３の連結要素（２２）の回転を停止し、前記第３の連結要素（２２）が前記フリーホイール（３０）に対して反対方向にトルクを付与するとき、前記フリーホイール（３０）がフリー状態となって前記第３の連結要素（２２）を回転させるように構成され、
前記第３の連結要素（２２）は、さらに、第２の動作段階において、前記アクセサリプーリ（９）に連結されるように構成された、ことを特徴とする駆動システム。
【請求項２】
前記第３の連結要素（２２）は、前記第１の動作段階において、前記搭載位置にて前記フリーホイール（３０）に連結された第１の位置と、前記第１の動作段階とは異なる動作段階において、前記搭載位置にて前記フリーホイール（３０）から切り離される他の位置との間で移動可能である、ことを特徴とする請求項１に記載の駆動システム。
【請求項３】
前記第３の連結要素（２２）は、前記第１の動作段階において、前記搭載位置にて前記フリーホイール（３０）に連結された第１の位置と、前記第２の動作段階において、前記搭載位置にて前記アクセサリプーリ（９）と連結された第２の位置との間で移動可能である、ことを特徴とする請求項１又は２に記載の駆動システム。
【請求項４】
前記駆動システム（１）は、主軸（１５）を有し、前記第３の連結要素（２２）は、前記主軸（１５）に沿って移動可能であることを特徴とする、請求項２又は３に記載の駆動システム。
【請求項５】
前記第３の連結要素（２２）は、前記フリーホイール（３０）と連結するための第１の連結部材（２６）と、前記アクセサリプーリ（９）と連結するための第２の連結部材（２７）とを備え、
前記駆動システム（１）が請求項１に記載の駆動システムであるとき、前記第１及び／又は前記第２の連結部材（２６、２７）は、ドグ歯を備えた、ことを特徴とする請求項１〜４のいずれか一項に記載の駆動システム。
【請求項６】
前記第３の連結要素（２２）は、さらに、第３の動作段階において、前記フリーホイール（３０）及び前記アクセサリプーリ（９）から切り離される第３の位置をとるように構成された、ことを特徴とする請求項１〜５のいずれか一項に記載の駆動システム。
【請求項７】
前記歯車減速機構は、太陽歯車（２１）、環状歯車（２２）、前記太陽歯車（２１）及び前記環状歯車（２２）の双方に噛み合い、遊星キャリア（２５）に支持された複数の遊星歯車（２３）を含む遊星歯車装置（２０）を備えた、ことを特徴とする請求項１〜６のいずれか一項に記載の駆動システム。
【請求項８】
前記太陽歯車（２１）、前記環状歯車（２２）、及び前記遊星キャリア（２５）は各々、前記連結要素（２５、２１、２２）のうちの１つと接続された、ことを特徴とする請求項７に記載の駆動システム。
【請求項９】
前記第１の連結要素は、前記遊星キャリア（２５）に接続され、前記遊星キャリア（２５）の一部であることが好ましく、前記第２の連結要素は、前記太陽歯車（２１）に接続され、前記太陽歯車（２１）の一部であることが好ましく、前記第３の連結要素は、前記環状歯車（２２）に接続され、前記環状歯車（２２）の一部であることが好ましい、ことを特徴とする請求項７又は８に記載の駆動システム。
【請求項１０】
前記搭載位置において、前記フリーホイール（３０）は、前記エンジン装置（２）のカータ（１６）に固定取付された、ことを特徴とする請求項１〜９のいずれか一項に記載の駆動システム。
【請求項１１】
エンジン（４）と、
電気機械（６）と、
少なくとも１つのアクセサリ（７）と、
前記電気機械（６）及び前記アクセサリ（７）が駆動可能に接続されたアクセサリプーリ（９）と、を備えたエンジン装置であって、
請求項１〜１０のいずれか一項に記載の駆動システム（１）をさらに備えた、ことを特徴とするエンジン装置。
【請求項１２】
前記少なくとも１つのアクセサリ（７）は、ウォータポンプ、エアコンディショナのコンプレッサ、冷却ファンのうちの１つである、ことを特徴とする請求項１１に記載のエンジン装置。
【請求項１３】
前記エンジン（４）の動作状態を検出する少なくとも１つのセンサ（３７）と、
前記センサ（３７）に接続され、前記歯車減速機構（２０）及び前記フリーホイール（３０）の前記第３の連結要素（２２）を連結又は切り離し可能に構成されたアクチュエータ（３３）を制御することができるコントローラ（３８）と、をさらに備えた、ことを特徴とする請求項１１又は１２に記載のエンジン装置。
【請求項１４】
前記駆動システム（１）が請求項３及び６に記載の駆動システムであるとき、前記アクチュエータ（３３）は、検出された前記エンジン動作状態に応じて、前記歯車減速機構（２０）の前記第３の連結要素（２２）を移動させて、前記第３の連結要素（２２）を第１の位置、第２の位置、及び第３の位置のうちの１つに配置するように構成された、ことを特徴とする請求項１３に記載のエンジン装置。
【請求項１５】
請求項１１〜１４のいずれか一項に記載のエンジン装置（２）を備えた、ことを特徴とする車両。
【請求項１６】
エンジン（４）、電気機械（６）、少なくとも１つのアクセサリ（７）、及び駆動システム（１）を備え、前記電気機械（６）及び前記アクセサリ（７）がアクセサリプーリ（９）に対して駆動可能に接続されたエンジン装置（２）を動作させる方法であって、
前記駆動システム（１）は、
少なくとも３つの別個の回転可能な連結要素（２５、２１、２２）を有し、前記連結要素の回転速度は、相互依存するものの、互いに関連した固定の比率を有さず、２つの連結要素（２５、２１）を介して、前記アクセサリプーリ（９）及びエンジンクランクシャフト（５）を連結する歯車減速機構（２０）と、
前記エンジン装置（２）の非回転部品（１６）に接続され、前記歯車減速機構（２０）の第３の連結要素（２２）を介して、前記歯車減速機構に連結可能なフリーホイール（３０）と、を備え、
ａ）前記エンジン（４）が始動段階又は稼働段階であるか否かを示す少なくとも１つのパラメータを検出するステップと、
ｂ）前記エンジン（４）が始動段階である場合、前記歯車減速機構（２０）を前記フリーホイール（３０）に連結するステップと、
ｃ）前記始動段階において、前記電気機械（６）が前記エンジンを始動しているとき、前記フリーホイールを係合状態で動作させるステップと、
ｄ）前記始動段階において、前記エンジン（４）が始動し、前記歯車減速機構（２０）が依然として前記フリーホイール（３０）に連結されているとき、前記フリーホイール（３０）をフリー状態で動作させるステップと、
ｅ）前記稼働段階において、前記第３の連結要素（２２）を前記アクセサリプーリ（９）に連結させるステップと、
を備えた方法。
【請求項１７】
ステップａ）は、前記エンジン（４）が、各々、始動段階、稼働段階、又は電気段階であるか否かを示す少なくとも１つのパラメータを検出することからなり、
ステップｂ）は、前記駆動システム（１）を制御して、前記エンジンが始動段階である場合に前記フリーホイール（３０）に連結され、前記エンジンが稼働段階である場合に前記アクセサリプーリ（９）に連結され、前記エンジンが電気段階である場合に前記フリーホイール（３０）及び前記アクセサリプーリ（９）の双方から自由となる前記歯車減速機構（２０）の前記連結要素（２２）を配置することからなる、ことを特徴とする請求項１６に記載の方法。
【請求項１８】
前記駆動システム（１）は、前記歯車減速機構としての遊星歯車装置（２０）を備え、
前記遊星歯車装置は、太陽歯車（２１）と、環状歯車（２２）と、前記太陽歯車（２１）及び前記環状歯車（２２）の双方に噛み合い、遊星キャリア（２５）に支持された複数の遊星歯車（２３）とを含み、
前記遊星キャリア（２５）は、前記エンジンクランクシャフト（５）に接続され、前記太陽歯車（２１）は、前記アクセサリプーリ（９）に接続され、
前記方法のステップｂ）は、前記エンジンが始動段階である場合に前記フリーホイール（３０）に連結され、前記エンジンが稼働段階である場合に前記アクセサリプーリ（９）に連結され、前記エンジンが電気段階である場合に前記フリーホイール（３０）及び前記アクセサリプーリ（９）の双方から切り離されるように、前記フリーホイール（３０）又は前記アクセサリプーリ（９）に対して、前記環状歯車（２２）の位置を制御することからなる、ことを特徴とする請求項１７に記載の方法。
【請求項１９】
前記アクセサリプーリ（９）及び前記クランクシャフト（５）の回転速度間の減速比は、前記稼働状態においてＲ１ｂであり、Ｒ１ｂは、１であり、前記始動段階においてＲ１ａであり、Ｒ１ａ≠Ｒ１ｂであり、Ｒ１ａは、４である、ことを特徴とする請求項１７又は１８に記載の方法。
【発明の詳細な説明】
【技術分野】
【０００１】
本発明は、エンジン装置の駆動システム、同駆動システムを含むエンジン装置、同エンジン装置を備えた車両、及び同エンジン装置を動作させる方法に関する。
【０００２】
本発明は、トラック、バス、及び建設機械等の中型車両及び大型車両に適用可能である。
【背景技術】
【０００３】
燃料消費量を低減するために、例えば、交通信号又は交通渋滞において運転者がブレーキペダルを踏み込んだとき等、エンジン動力が必要とされないときにエンジンを自動停止させ、信号に応じて、通常、運転者がアクセルペダルを作動させると、エンジンを再始動させるエンジン装置が開発されている。
【０００４】
このようなエンジン装置は、エンジンと、電気機械と、１つ又はいくつかのアクセサリと、電気機械及びアクセサリが駆動可能に接続されたアクセサリプーリとを備える。歯車減速機構を備えた駆動システムを使用して、アクセサリプーリとエンジンクランクシャフトとを連結する。
【０００５】
エンジン装置は、バッテリで駆動される電気機械がエンジンを始動する始動段階（phase）と、エンジンが稼働中であって、アクセサリを駆動し、電気機械がバッテリを充電できるように電気機械を駆動する稼働段階（すなわち、正常駆動状態）と、エンジンが停止され、電気機械がアクセサリを駆動する電気段階と、のうちの１つの段階にあることができる。
【０００６】
駆動システムは、エンジン装置がこれら３つの段階のうちのいずれかで動作するように、且つ、これら３つの段階間で移行できるように設計される。
【０００７】
従来の駆動システムは、通常、満足のいくものであったが、改善の余地が残っている。
【発明の概要】
【発明が解決しようとする課題】
【０００８】
本発明の目的は、改良されたエンジン装置の駆動システムを提供することである。
【０００９】
より具体的には、本発明の目的は、エンジンの少なくとも２つの動作段階間でよりスムーズな移行を可能にする駆動システムを提供することである。
【課題を解決するための手段】
【００１０】
そのために、第１の態様によると、本発明は、エンジン装置の駆動システムに関する。この駆動システムは、少なくとも３つの別個の回転可能な連結要素（junction elements）、すなわち、搭載位置において、エンジンクランクシャフトに接続された第１の連結要素と、電気機械及び少なくとも１つのアクセサリに対して駆動可能に接続されたアクセサリプーリに接続された第２の連結要素と、第３の連結要素と、を有する歯車減速機構を備え、各連結要素の回転速度は、相互依存するものの、互いに関連する固定の比率を有さない。
【００１１】
本発明に係る駆動システムは、搭載位置において、エンジン装置の非回転部品に接続されたフリーホイールをさらに備え、第３の連結要素は、駆動システムの第１の動作段階において、フリーホイールに連結されるように構成される。第１の動作段階において、フリーホイールは、第３の連結要素がフリーホイールに対して一方向にトルクを付与する（exter）とき、フリーホイールが係合状態となって第３の連結要素の回転を停止し、第３の連結要素がフリーホイールに対して反対方向にトルクを付与するとき、フリーホイールがフリー状態となって第３の連結要素を回転させるように構成される。
【００１２】
換言すると、歯車減速機構は、第１の連結要素が第１の動作段階において第２の連結要素からトルクを受けているとき、第３の連結要素がフリーホイールに対して一方向にトルクを付与した後、フリーホイールが係合状態となるようにし、第１の連結要素が正のトルクを生成しているとき、第３の連結要素がフリーホイールに対して反対方向にトルクを付与した後、フリーホイールがフリー状態となるように設計される。
【００１３】
搭載位置とは、駆動システムがエンジン装置内に設置されて動作可能となる位置を意味する。
【００１４】
フリーホイールの「フリー状態」は、フリーホイールが、フリーホイールに接続された駆動部材又はフリーホイールの一部である駆動部材を、フリーホイールに接続された駆動部材又はフリーホイールの一部である駆動部材から切り離す構成に対応し、フリーホイールの「係合状態」では、駆動部材は、伝達装置として作用するフリーホイールによって被駆動部材と係合される。駆動部材は、フリーホイールに接続された駆動シャフト又はフリーホイールの駆動シャフトとすることができ、被駆動部材は、フリーホイールに接続された被駆動シャフト又はフリーホイールの被駆動シャフトとすることができる。
【００１５】
実際には、第１の動作段階は、電気機械が始動速度までエンジンを回転させるエンジンの始動段階に対応する。この始動段階では、フリーホイールは、電気機械からエンジンに単一方向の接続を提供する。始動段階の開始時、エンジンの回転速度はかなり低い。燃焼が行われず、エンジンは、回転するためのトルクを必要とする。フリーホイールは、第３の連結要素を介して一方向に方向付けられた第１のトルクを受けて係合状態となる。この構成により、電気機械からエンジンへトルクを伝達させる。燃焼が行われるとき、エンジンは、急速に加速し、クランクシャフトがトルクを提供する。フリーホイールは、第３の連結要素を介して反対方向に方向付けられた第２のトルクを受けてフリー状態となり、クランクシャフトを自由加速させる。エンジンから電気機械又はアクセサリへは全くトルクが伝達されないか、わずかなトルクのみが伝達される。電気機械の速度は、クランクシャフトの速度と相互関連しないものと考えられる。
【００１６】
始動段階の開始時、エンジン及び電気機械の回転速度間の減速比は、Ｒａ＝Ｒ０×Ｒ１ａである。ここで、Ｒ０は、電気機械及びアクセサリプーリの間の減速比である。Ｒ０は、例えば、約４とすることができる。Ｒ１ａは、アクセサリプーリ及びクランクシャフトの間の減速比である。Ｒ１ａは、例えば、約４とすることができる。
【００１７】
その結果として、Ｒａは、約１６（すなわち、電気機械の１９２０rpmに対応するクランクシャフトの１２０rpm）とすることができる。
【００１８】
しかしながら、本発明は、フリーホイールによって始動段階の最後にエンジンから電気機械へのトルク伝達を防ぐことにより、エンジンがアクセサリプーリ、及び／又は、ベルト又は電気機械等に接続された部品が損傷することを防ぐ。
【００１９】
本発明の著しい利点として、フリーホイールを使用することにより、内燃機関のトルクが正となるやいなや、エンジン及び電気機械を自動的且つ即座に切り離す。その結果として、応答時間の問題が回避される。
【００２０】
続いて、駆動システムは、他の動作段階、通常は、エンジン及び電気機械の回転速度間の減速比がＲａとは異なる稼働段階になることができる。この動作段階において、この比率は、Ｒｂ＝Ｒ０×Ｒ１ｂであり、Ｒ１ｂ＝１である。
【００２１】
さらに、本発明は、シンプルかつロバストな構造を有し、さらにかなりコンパクトであり、かなり軽量である駆動システムを提供する。
【００２２】
第３の連結要素は、さらに、第２の動作段階において、アクセサリプーリに連結されるように構成可能である。第２の動作段階は、エンジンが稼働しており、電気機械及びアクセサリを駆動する稼働段階に対応することができる。
【００２３】
第２の動作段階において、駆動システムは、エンジンが電気機械から動力を受けてもよいように構成されることが好ましい。この場合、電気機械は、エンジンの性能及び燃料消費量を向上するために、バッテリに貯められた電気エネルギを使用してもよい。
【００２４】
第３の連結要素は、第１の動作段階において、搭載位置にてフリーホイールに連結された第１の位置と、第１の動作段階とは異なる動作段階において、搭載位置にてフリーホイールから切り離される他の位置との間で移動可能であってもよい。
【００２５】
より具体的には、第３の連結要素は、第１の動作段階において、搭載位置にてフリーホイールに連結された第１の位置と、第２の動作段階において、搭載位置にてアクセサリプーリに連結された第２の位置との間で移動可能であってもよい。一実施形態において、駆動システムは、主軸を有し、第３の連結要素は、この主軸に沿って移動可能である。
【００２６】
一実施形態によると、第３の連結要素は、フリーホイールと連結するための第１の連結部材と、アクセサリプーリと連結するための第２の連結部材とを備える。例えば、第１の連結部材及び／又は第２の連結部材は、ドグ歯（dog teeth）を備えることができる。
【００２７】
第３の連結要素は、さらに、第３の動作段階において、フリーホイール及びアクセサリプーリから切り離される第３の位置をとるように構成可能である。この第３の動作段階は、エンジンが停止され、電気機械がアクセサリを駆動する電気段階に対応可能である。第３の連結要素は、フリーホイール及びアクセサリプーリから切り離されるとき、第１の位置及び第２の位置の間の軸方向の中間である第３の位置にある。
【００２８】
一実施形態において、歯車減速機構は、太陽歯車と、環状歯車と、太陽歯車及び環状歯車の双方に噛み合い、遊星キャリアに支持された複数の遊星歯車とを含む、遊星歯車装置を備えることができる。
【００２９】
太陽歯車、環状歯車、及び遊星キャリアは、各々、連結要素のうちの１つに接続されてもよい。
【００３０】
第１の連結要素は、遊星キャリアに接続可能であり、遊星キャリアの一部であり得ることが好ましく、第２の連結要素は、太陽歯車に接続可能であり、太陽歯車の一部であり得ることが好ましく、第３の連結要素は、環状歯車に接続可能であり、環状歯車の一部であり得ることが好ましい。
【００３１】
加えて、搭載位置において、フリーホイールは、エンジン装置のカータ（carter）に固定取付されてもよい。
【００３２】
第２の態様によると、本発明は、エンジンと、電気機械と、少なくとも１つのアクセサリと、電気機械及びアクセサリが駆動可能に接続されたアクセサリプーリとを備えたエンジン装置であって、上述の駆動システムをさらに備えたエンジン装置に関する。
【００３３】
実際には、少なくとも１つのアクセサリは、ウォータポンプ、エアコンディショナのコンプレッサ、冷却ファンのうちの１つとすることができる。
【００３４】
エンジン装置は、さらに、エンジンの動作状態を検出する少なくとも１つのセンサと、センサに接続され、歯車減速機構及びフリーホイールの第３の連結要素を連結又は切り離し可能に構成されたアクチュエータを制御することができるコントローラとをさらに備えてもよい。
【００３５】
アクチュエータは、検出されたエンジン動作状態に応じて、歯車減速機構の第３の連結要素を移動させて、第３の連結要素を第１の位置、第２の位置、及び第３の位置のうちの１つに配置させるように構成可能である。エンジンの動作状態は、エンジンの現在の動作段階又はエンジンの所望の動作段階、すなわち、運転者がエンジンの始動、停止、又は再始動を要求するときに対応可能である。
【００３６】
第３の態様によると、本発明は、上述のエンジン装置を備えた車両に関する。
【００３７】
第４の態様によると、本発明は、エンジン、電気機械、少なくとも１つのアクセサリ、及び駆動システムを備え、電気機械及びアクセサリがアクセサリプーリに対して駆動可能に接続されたエンジン装置を動作させる方法に関する。駆動システムは、少なくとも３つの別個の回転可能な連結要素を有し、連結要素の回転速度は、相互依存するものの、互いに関連した固定の比率を有さず、２つの連結要素を介して、アクセサリプーリ及びエンジンクランクシャフトを連結する歯車減速機構と、エンジン装置の非回転部品に接続され、歯車減速機構の第３の連結要素を介して、歯車減速機構に連結可能なフリーホイールと、を備える。
【００３８】
この方法は、ａ）エンジンが始動段階であるか否かを示す少なくとも１つのパラメータを検出するステップと、ｂ）エンジンが始動段階である場合、歯車減速機構をフリーホイールに連結するステップと、ｃ）始動段階において、電気機械がエンジンを始動しているとき、フリーホイールを係合状態で動作させるステップと、ｄ）始動段階において、エンジンが始動し、歯車減速機構が依然としてフリーホイールに連結されているとき、フリーホイールをフリー状態で動作させるステップと、を備える。
【００３９】
換言すると、ステップｃ）において、歯車減速機構は、フリーホイールを介して、非回転部品に連結され、システム構成は、電気機械からエンジンへトルクを伝達させるようにする。次いで、ステップｄ）において、歯車減速機構は、非回転部品から切り離される。
【００４０】
フリーホイールを使用することにより、駆動システムを非常に反応性良く制御させることができ、エンジン装置のロバスト性及び信頼性を改善する。
【００４１】
一実施形態において、ステップａ）は、エンジンが、各々、始動段階、稼働段階、又は電気段階であるか否かを示す少なくとも１つのパラメータを検出することからなり、ステップｂ）は、駆動システムを制御して、エンジンが始動段階である場合にフリーホイールに連結され、エンジンが稼働段階である場合にアクセサリプーリに連結され、エンジンが電気段階である場合にフリーホイール及びアクセサリプーリの双方から自由となる、歯車減速機構の連結要素を配置することからなる。
【００４２】
一実施形態において、駆動システムは、歯車減速機構としての遊星歯車装置を備え、遊星歯車装置は、太陽歯車と、環状歯車と、太陽歯車及び環状歯車の双方に噛み合い、遊星キャリアに支持された複数の遊星歯車とを含み、遊星キャリアは、エンジンクランクシャフトに接続され、太陽歯車は、アクセサリプーリに接続される。加えて、方法のステップｂ）は、エンジンが始動段階である場合にフリーホイールに連結され、エンジンが稼働段階である場合にアクセサリプーリに連結され、エンジンが電気段階である場合にフリーホイール及びアクセサリプーリの双方から切り離されるように、フリーホイール又はアクセサリプーリに対して、環状歯車の位置を制御することからなる。
【００４３】
アクセサリプーリ及びクランクシャフトの回転速度間の減速比は、稼働段階においてＲ１ｂであり、Ｒ１ｂは、実質的に１であり、始動段階においてＲ１ａであり、Ｒ１ａ≠Ｒ１ｂであり、Ｒ１ａは、例えば、約４とすることができる。
【００４４】
本発明のさらなる利点及び有益な特徴については、以下の説明及び従属請求項において開示される。
【図面の簡単な説明】
【００４５】
以下、添付の図面を参照して、例として示される本発明の実施形態のより詳細な説明を行う。
【００４６】
【図１】本発明の一実施形態に係るエンジン装置を備えた車両の斜視図である。
【図２ａ】始動段階におけるエンジン装置の概略正面図である。
【図２ｂ】始動段階におけるエンジン装置の種々の構成要素間の運動学的接続を示す図である。
【図２ｃ】始動段階におけるエンジン装置の部分断面図である。
【図３ａ】エンジン装置が稼働段階であるときの図２ａと同様の図である。
【図３ｂ】エンジン装置が稼働段階であるときの図２ｂと同様の図である。
【図３ｃ】エンジン装置が稼働段階であるときの図２ｃと同様の図である。
【図４ａ】エンジン装置が電気段階であるときの図２ａと同様の図である。
【図４ｂ】エンジン装置が電気段階であるときの図２ｂと同様の図である。
【図４ｃ】エンジン装置が電気段階であるときの図２ｃと同様の図である。
【発明を実施するための形態】
【００４７】
本発明は、車両３のエンジン装置２の駆動システム１に関し、その例を図１に示す。
【００４８】
図示の実施形態において、車両３は、運転台を備え、荷台（図示せず）を備えることができる。エンジン装置２は、運転台の前方、座席の下方に配置されてもよい。図１に示される車両はトラックであるが、本発明は、この特定車両に制限されるものでなく、他の車両において使用されてもよい。
【００４９】
エンジン装置２は、クランクシャフト５を有するエンジン４と、モータモード又は発電機モードのいずれかで動作可能である電気機械６と、少なくとも１つのアクセサリ７とを備える。このアクセサリ７は、例えば、ウォータポンプ、エアコンディショナのコンプレッサ、冷却ファン等とすることができる。図２ａ及び図２ｂ、図３ａ及び図３ｂ、並びに図４ａ及び図４ｂにおいて、エンジン装置２は、２つのアクセサリ７、７’を備える。エンジン装置２は、さらに、電気機械６に接続されたバッテリ８と、アクセサリプーリ９とを備える。
【００５０】
電気機械６、アクセサリ７、７’、及びアクセサリプーリ９は、通常、アクセサリプーリ９に受容されたベルト１０と、電気機械６及びアクセサリ７、７’に各々接続されたプーリ６ａ、７ａ、７’ａを介して、駆動可能に接続される。
【００５１】
エンジン装置２の駆動システム１は、アクセサリプーリ９及びエンジンクランクシャフト５を連結する。その結果として、回転は、駆動システム１、ベルト１０、及びプーリ９、６ａ、７ａ、７’ａにより、電気機械６からエンジン４及びアクセサリ７へ、エンジン４から電気機械６及びアクセサリ７へ伝達可能である。特に、アクセサリ７は、電気機械６及びエンジン４のうちの一方により、駆動されるように構成される。
【００５２】
駆動システム１は、エンジンクランクシャフト５及びアクセサリプーリ９の軸でもあり得る主軸１５を有する。
【００５３】
駆動システム１は、図示の実施形態においては、遊星歯車装置２０である歯車減速機構を備える。遊星歯車装置２０は、主軸１５を中心とする太陽歯車２１と、同様に主軸１５を中心とする環状歯車２２と、太陽歯車２１及び環状歯車２２の双方に噛み合う複数の遊星歯車２３とを含む。遊星歯車２３は、各々、軸２４を有し、それらはすべて、遊星キャリア２５に支持される。太陽歯車２１は、エンジン装置２のカータ１６に対して枢動可能に取り付けられ、アクセサリプーリ９に接続される。遊星キャリア２５は、エンジンクランクシャフト５に接続される。
【００５４】
駆動システム１は、さらに、主軸１５と同軸に、カータ１６に対して固定取付されたフリーホイール３０を備える。図示の実施形態において、フリーホイール３０は、カータ１６の内部に固定取付された外側シリンダ３１と、内側部品３２とを備える。内側部品３２は、一方向において、外側シリンダ３１に対して主軸１５周りに自由に回転可能であり、これは、フリーホイール３０の「フリー」状態に対応し、内側部品３２は、反対方向において、外側シリンダ３１に対して主軸１５周りに回転することができず、これは、フリーホイール３０の「係合」状態に対応する。フリーホイール３０について、いくつかの実施形態が想定可能である。
【００５５】
環状歯車２２は、フリーホイール３０と連結された第１の位置（図２ａ〜図２ｃ）と、アクセサリプーリ９と連結された第２の位置（図３ａ〜図３ｃ）との間で、主軸１５に沿って移動可能である。
【００５６】
そのために、ドグ歯等の連結部材が、連結対象の部品上に設けられてもよい。より具体的には、環状歯車２２は、フリーホイール３０上に配置された、対応する連結部材２６’と連結するための第１の連結部材２６と、アクセサリプーリ９上に配置された、対応する連結部材２７’と連結するための第２の連結部材２７とを備えることができる。
【００５７】
加えて、環状歯車２２は、環状歯車２２がフリーホイール３０及びアクセサリプーリ９から切り離される、主軸１５に沿った第１の位置と第２の位置との間の第３の位置（図４ａ〜ｃ）に移動可能である。
【００５８】
これら３つの位置の各々において、環状歯車２２は、複数の遊星歯車２３と噛み合ったままであることが好ましい。
【００５９】
環状歯車２２を移動させるために、エンジン装置２は、アクチュエータ３３を備える。図２ｃ、図３ｃ、及び図４ｃに示される一例としての実施形態において、アクチュエータ３３は、カータ１６上に枢動可能に取り付けられ、作動シリンダ３５に接続されたロッド３４を含む。ロッド３４の端部は、環状歯車２２と協働する。例えば、ロッド３４のこの端部は、２つの径方向外側に延びる壁部３６の間に配置可能である。したがって、作動シリンダ３５は、ロッド３４を枢動させることができ、その結果として、ロッド３４は、アクセサリプーリ９又はフリーホイール３０のいずれかに向かって、環状歯車２２を軸方向に押圧する。
【００６０】
エンジン装置２は、さらに、エンジン４の動作状態を検出する少なくとも１つのセンサ３７と、このセンサ３７に接続され、アクチュエータ３３を制御可能なコントローラ３８とを備える。検出されたエンジン動作状態に応じて、アクチュエータ３３は、環状歯車２２を移動させるように制御され、環状歯車２２を第１の位置、第２の位置、及び第３の位置に配置する。
【００６１】
以下、始動段階におけるエンジン装置２を示す図２ａ〜図２ｃを参照する。
【００６２】
運転者は、車両３を始動させたいとき、通常、キーを回すか、点火スイッチをオンにする。その結果として、バッテリ８は、電気機械６を始動するように駆動する。
【００６３】
一実施形態において、第１の位置、すなわち、環状歯車２２がフリーホイール３０と連結されるときは、デフォルト位置である。例えば、コントローラ３８がアクチュエータ３３を制御して環状歯車２２を他の位置に配置しないとき、環状歯車２２を第１の位置に保つために、ばねを使用することができる。変形例において、「車両を始動する」という情報は、センサ３７によって検出され、環状歯車２２を第１の位置に配置するようにアクチュエータ３３を制御するコントローラ３８に伝達される。
【００６４】
この始動段階において、アクセサリ７は、電気機械６によって駆動される。さらに、電気機械６は、アクセサリプーリ９を駆動し、ひいては太陽歯車２１を回転させる。環状歯車２２は、始動段階の開始時に係合状態となるように構成されたフリーホイール３０に連結されるため、環状歯車２２は回転せず、複数の遊星歯車２３は主軸１５周りを回転することにより、回転運動をクランクシャフト５に伝達する。
【００６５】
始動段階において、歯車減速システム、すなわち、遊星歯車装置２０は、電気機械６の回転をエンジンクランクシャフト５の回転と、エンジン４及び電気機械６の回転速度間の減速比Ｒａ＝Ｒ０×Ｒ１ａとに紐づける。例えば、Ｒａは約１６とすることができ、Ｒ０は約４であり、Ｒ１ａは約４である。
【００６６】
燃焼が行われるとき、エンジン４は、トルクを提供することにより、クランクシャフト５が急速に加速する。環状歯車２２において伝達されるトルクの方向が変化するため、これによって、自動的に、フリーホイール３０をフリー状態へと移行するように導く。
【００６７】
フリーホイール３０がフリー状態にあるとき、環状歯車２２がフリーホイール３０と連結されたままであるとしても、エンジン４から電気機械６には全くトルクが伝達されないか、わずかなトルクのみが伝達される。これにより、ベルト１０及びその他の部品への深刻な応力を防ぐ。
【００６８】
エンジン４が始動したことをセンサ３７が検出したとき、コントローラ３８は、環状歯車２２を第２の位置、すなわち、アクセサリプーリ９に連結された位置に配置するように、アクチュエータ３３を制御する。その後、エンジン装置２は、図３ａ〜図３ｃに示される通り、稼働段階になる。いくつかの実施形態では、電気機械６及びエンジン４の間の速度同期を要求して噛み合いを容易にすることができる。
【００６９】
この稼働段階（すなわち、正常駆動状態）において、エンジン４は、稼働している。その後、エンジン４は、アクセサリ７を駆動し、電気機械６がバッテリ８を充電することができるように、電気機械６も駆動することができる。同様に、電気機械６は、モータモードとなって、バッテリ８に貯められたエネルギを消費することにより、アクセサリ７及びクランクシャフト５に追加トルクを提供することができる。
【００７０】
より正確に述べると、クランクシャフトの回転は、主軸１５周りの複数の遊星歯車２３の回転と、環状歯車２２に連結されたアクセサリプーリ９の回転とをもたらす。
【００７１】
稼働段階において、歯車減速システム、すなわち、遊星歯車装置２０は、電気機械６からエンジンクランクシャフト５への回転を、電気機械６及びエンジン４の回転速度間の減速比Ｒｂ＝Ｒ０×Ｒ１ｂに紐づける。Ｒ１ｂ＝１であり、したがって、ＲｂはＲａとは異なる。例えば、Ｒｂは、２〜５の範囲内とすることができ、例えば、約４とすることができる。
【００７２】
内燃機関４は、稼働段階から、例えば、車両が交通渋滞又は交通信号で停止した場合、一時的に無用となり得る。そして、エンジン装置２は、燃料を節約するために、信号に応じてエンジン４が再始動されるに先立って、エンジン４を自動停止させる。
【００７３】
センサ３７は、エンジン４が停止されたことを検出するように構成される。その後、コントローラ３８は、環状歯車２２を第３の位置、すなわち、フリーホイール３０及びアクセサリプーリ９から切り離される位置に配置するように、アクチュエータ３３を制御する。その後、エンジン装置２は、図４ａ〜図４ｃに示される通り、電気段階（又は、「電気的に駆動されるアクセサリ段階」）になる。
【００７４】
さらに、コントローラ３８は、エンジン４を停止させ、電気機械６を始動させる。
【００７５】
したがって、電気機械６は、アクセサリ７を駆動してアクセサリプーリ９を回転させ、ひいては、太陽歯車２１及び複数の遊星歯車２３を回転させる。環状歯車２２はフリーホイール３０又はアクセサリプーリ９に連結されないため、複数の遊星歯車２３の回転は、結果として、環状歯車２２を自由回転させ、言わば、環状歯車２２上に抵抗トルクを付与しない。クランクシャフトの速度及びプーリの速度は、相互関連しない。
【００７６】
したがって、電気機械６は、エンジン４から回転可能に切り離し可能であり、アクセサリ７は、エンジン４が停止された場合であっても駆動可能である。
【００７７】
同様に、より効率的な電気段階を有することによって燃料消費を低減するために、エンジン４が稼働している間に電気段階を選択することが可能である。
【００７８】
コントローラ３８は、電気段階から、他のモードとなる必要性を計算することができる。エンジン４を再始動させるために、コントローラ３８は、環状歯車２２を第１の位置に戻し、電気機械６がエンジン４を再始動できるようにする。この動きは、上述の通り、デフォルト位置を規定するためにばねが設けられた場合、受動的に行うことができる。電気段階から稼働段階へと切り替えるために、コントローラ３８は、環状歯車２２を第２の位置にする。いくつかの実施形態では、電気機械６及びエンジン４の間の速度同期を要求して噛み合いを容易にすることができる。
【００７９】
本発明は、上述及び図示の実施形態に限定されるものでないことが理解されなければならない。むしろ、当業者であれば、添付の特許請求の範囲内で多数の変更及び修正がなされてもよいことを理解されたい。
【図１】
0006633180.tif 000002
【図２ａ】
0006633180.tif 000003
【図２ｂ】
0006633180.tif 000004
【図２ｃ】
0006633180.tif 000005
【図３ａ】
0006633180.tif 000006
【図３ｂ】
0006633180.tif 000007
【図３ｃ】
0006633180.tif 000008
【図４ａ】
0006633180.tif 000009
【図４ｂ】
0006633180.tif 000010
【図４ｃ】
0006633180.tif 000011